(57)【要約】【課題】身体の洗浄に使用した湯水の受け止め及び吸収に好ましく使用可能な身体洗浄用の吸収パッドを提供すること。【解決手段】吸収パッド１は、使用者の身体から相対的に近い位置に配される表面シート２と、該使用者の身体から相対的に遠い位置に配される裏面シート３と、両シート２，３間に配置されている吸収性コア４０とを具備する吸収性本体１０、及び該吸収性本体１０の長手方向の両側部に配されている防漏カフ６，６を備えている。吸収性コア４０はその長手方向の両端部から離間した位置に、幅方向Ｙに沿って延びる一対の折り誘導部４５を有している。防漏カフ６，６は、長手方向Ｘにおける該防漏カフ６，６の両端部間に、該長手方向に伸縮する伸縮部６１を有し、伸縮部６１は、吸収パッド１の厚み方向において吸収性コア４０より上方に位置し、且つ少なくとも一対の折り誘導部４５それぞれを跨いで存在している。【選択図】図４
2019187740.tif 000002
【特許請求の範囲】
【請求項１】
吸収パッドであって、
長手方向及び該長手方向に直交する幅方向を有し、
使用者の身体から相対的に近い位置に配される表面シートと、該使用者の身体から相対的に遠い位置に配される裏面シートと、両シート間に配置されている吸収性コアとを具備する吸収性本体、及び該吸収性本体の前記長手方向の両側部に配されている防漏カフを備えており、
前記吸収性コアはその長手方向の両端部から離間した位置に、前記幅方向に沿って延びる一対の折り誘導部を有しており、
前記防漏カフは、前記長手方向における該防漏カフの両端部間に、該長手方向に伸縮する伸縮部を有しており、
前記伸縮部は、前記吸収パッドの厚み方向において前記吸収性コアより上方に位置し、且つ少なくとも前記一対の折り誘導部それぞれを跨いで存在している、吸収パッド。
【請求項２】
前記長手方向の一端又は両端に、前記吸収性コアの前記長手方向の端部より外方に延出した延出部を有しており、該延出部は互いに接合された前記表面シート及び前記裏面シートを含んでおり、
前記延出部は、該延出部を折り返して前記防漏カフの一部に固定可能な固定手段を備えている、請求項１に記載の吸収パッド。
【請求項３】
前記折り誘導部が、前記吸収性コアの形成材料の非存在部又は低坪量部である、請求項１又は２に記載の吸収パッド。
【請求項４】
前記折り誘導部が、エンボス加工により形成された圧搾部である、請求項１又は２に記載の吸収パッド。
【請求項５】
前記吸収性コアは、前記長手方向において前記折り誘導部よりも外方に位置する一対の端部吸収部と、該一対の端部吸収部間に位置する中央吸収部とを有しており、
前記端部吸収部は、前記中央吸収部に比して剛性が高い、請求項１〜４の何れか１項に記載の吸収パッド。
【請求項６】
前記端部吸収部は、その密度が、前記中央吸収部よりも高い、請求項５に記載の吸収パッド。
【請求項７】
前記防漏カフは、基端部及び該基端部に連接された自由端を有し、該基端部と該自由端との間に前記伸縮部を有し、
前記防漏カフは、前記吸収パッドの自然状態において、前記自由端が前記基端部よりも前記幅方向の外方に位置する状態に使用者の身体側に起立する、請求項１〜６の何れか１項に記載の吸収パッド。
【発明の詳細な説明】
【技術分野】
【０００１】
本発明は、吸収パッドに関する。
【背景技術】
【０００２】
着用者の肌側に位置する表面シートと、非肌側に位置する裏面シートと、これらシート間に配された吸収性コアとを具備する吸収性物品として、装着感を良好にする観点や尿等の排泄液の漏れを防止する観点から、吸収性物品が部分的に屈曲するものが知られている。例えば、特許文献１には、吸収性コアを含む吸収体に形成され、製品幅方向に沿って延びる第１変曲部と、吸収体に形成され、製品幅方向に沿って延びるとともに、第１変曲部よりも後胴回り部寄りに位置する第２変曲部とを有する吸収性物品が記載されている。
【０００３】
また、特許文献２には、曲げ剛性が相対的に低い第２部位と該第２部位よりも後方（背側）に位置する第１部位を有する吸収性コアと、該第２部位よりも後方側に伸縮性を有する防漏シートの固定端部とを有し、該第２部位に貫通孔が形成されている、使い捨て着用物品が記載されている。特許文献２に記載の使い捨て着用物品によれば、第２部位が、排泄液の漏れを防止する障壁とポケットとを形成する。
【０００４】
さらに、特許文献３には、台紙が第１折曲線を介して折り曲げられて起立し、当該起立にともなって防漏提の固定前端部が表面シートの上方に位置し、該防漏堤の弾性部材の収縮によって防漏提の自由部が表面シートの上方へ起立している、吸収性物品が記載されている。特許文献３に記載の吸収性物品によれば、台紙の前端部と防漏提の自由部とが尿に対する障壁を形成するので、排泄された尿が物品の外側に漏れることを防ぐ。
【先行技術文献】
【特許文献】
【０００５】
【特許文献１】国際公開第２０１３／０７７３６１号
【特許文献２】特開２００５−１６１００６号公報
【特許文献３】特開２００５−５２２１９号公報
【発明の概要】
【発明が解決しようとする課題】
【０００６】
一方、寝たきりの患者や被介護者などの臥床者（使用者）の頭部、両足、陰部等の身体の洗浄に、使い捨ておむつが使用される場合がある。例えば、臥床者の頭部の洗浄（洗髪）には、洗髪による寝床の濡れや汚れを防止する目的で、吸水性の使い捨ておむつを臥床者の頭部の下に敷く敷物として使用することがある。この敷物として使い捨ておむつを使用する場合、洗浄に用いた湯水等の排液がベッドや布団、衣類に飛び散ることがあった。また、使い捨ておむつは、一般的に、その両側部に弾性部材を具備する防漏カフを備え、該防漏カフが起立しているが、使い捨ておむつが多量の湯水等の排液を吸収すると、排液は吸収体全体に拡散し、排液の重みによって防漏カフの起立を維持する力より該防漏カフを載置した平面上に倒れる力が強くなるため、防漏カフが倒れ、排液が使い捨ておむつの外に漏れ出ることがあった。さらに、使い捨ておむつを平面上に載置すると、該使い捨ておむつが、防漏カフの弾性部材の収縮によって全体として凹形状に変形するため、該使い捨ておむつを安定して載置することができない。このような変形が起きないように、防漏カフの弾性部材を伸長させて平面上に載置すると、防漏カフの弾性部材の収縮力が吸収体コアに作用することによって、吸収性コアが長手方向の内方寄りに収縮し、使い捨ておむつの表面に大きな襞が発生することがある。この襞が臥床者の身体に当接すると、不快であるばかりでなく、該襞が皮膚をこすって褥瘡（いわゆる床ずれ）を引き起こすことがある。
特許文献１〜３は、着用して使用する吸収性物品を開示するものであり、身体の洗浄等の用途を考慮した吸収性物品を開示するものではない。
【０００７】
したがって、本発明の課題は、前述した従来技術が有する欠点を解消し得る吸収パッドを提供することにある。
【課題を解決するための手段】
【０００８】
本発明は、吸収パッドであって、長手方向及び該長手方向に直交する幅方向を有し、使用者の身体から相対的に近い位置に配される表面シートと、該使用者の身体から相対的に遠い位置に配される裏面シートと、両シート間に配置されている吸収性コアとを具備する吸収性本体、及び該吸収性本体の前記長手方向の両側部に配されている防漏カフを備えており、前記吸収性コアはその長手方向の両端部から離間した位置に、該吸収性コアを前記幅方向に沿って前記表面シート側に折り曲げる一対の折り誘導部が形成されており、前記防漏カフは、前記長手方向における該防漏カフの両端部間に、該長手方向に伸縮する伸縮部を有しており、前記伸縮部は、前記吸収パッドの厚み方向において前記吸収性コアより上方に位置し、且つ少なくとも前記一対の折り誘導部の両側に亘って存在している、吸収パッドを提供するものである。
【発明の効果】
【０００９】
本発明の吸収パッドによれば、使用者の身体の洗浄に使用した湯水の受け止め及び吸収に好ましく使用可能であり、洗浄に用いた湯水の外部への飛散や漏れが効果的に抑制される。
【図面の簡単な説明】
【００１０】
【図１】図１は、本発明の吸収パッドの第１実施形態を示す斜視図である。
【図２】図２は、図１に示す吸収パッドの上面側即ち肌対向面側を模式的に示す平面図であり、各部の弾性部材を伸張させて平面状に拡げた展開状態における平面図である。
【図３】図３は、図１のＩ−Ｉ線断面を模式的に示す断面図である。
【図４】図４は、図１のＩＩ−ＩＩ線断面を模式的に示す断面図である。
【図５】図５は、図１に示す吸収パッドを臥床者の身体の下方に配置した状態を示す模式図である。
【図６】図６（ａ）及び（ｂ）は、本発明に係る防漏カフの屈曲パターンを示す断面図である。
【図７】図７は、本発明の吸収パッドの他の実施形態を模式的に示す斜視図（ａ）、及び図７（ａ）に示す延出部を折り返した状態を模式的に示す斜視図（ｂ）である。
【図８】図８は、展開状態の吸収パッドにおいて、その延出部を折り返す前（ａ）と折り返した後（ｂ）の該延出部周辺を模式的に示す平面図である。
【図９】図９は、図７（ｂ）に示す吸収パッドの延出部周辺を示す斜視図である。
【発明を実施するための形態】
【００１１】
以下、本発明の吸収パッドをその好ましい実施形態に基づき図面を参照して説明する。図１〜図５には、本発明の吸収パッドの第１実施形態である吸収パッド１が示されている。図１は、自然状態即ち外力がかかっていない状態の吸収パッド１の斜視図である。
本実施形態の吸収パッド１は、図５に示すように、臥床者１００（使用者）の身体の下方に配置され、該身体の洗浄に使用した湯水の受け止め及び吸収に使用可能な身体洗浄用の吸収パッドである。例えば、吸収パッド１は、臥床者１００の洗髪時に、図５に示すように、臥床者（使用者）の頭部１０１の下方に配置され、洗髪に使用した湯水の吸収に使用することができる。また、臥床者の臀部や、足の下方に配置され、該部位の洗浄に使用することができる。洗浄する身体の部位としては、頭部、胴体、手、足、陰部等が挙げられる。頭部には、頭髪、頭皮、顔面等が含まれる。
【００１２】
また、吸収パッド１は、臥床者の身体の下方に配置され、臥床者の排泄物の受けとめにも使用可能である。例えば、臥床者が着用する使い捨ておむつ等の交換時に該臥床者が排尿しても、吸収パッド１を該臥床者の臀部等の下方に配置することで、その尿を受けとめ且つ吸収することができる。
【００１３】
本実施形態の吸収パッド１の使用者としては、主に臥床者を想定しているが、これに限られない。ここで「臥床者」とは、ベッドや床に敷かれた布団などの寝床で安静にしている状態の人を意味し、この「安静にしている状態」には、寝床に全身を横たえた状態、寝床で上半身だけ起こした状態などが含まれる。
【００１４】
本実施形態の吸収パッド１は、図１に示すように長手方向Ｘ、及び該長手方向に直交する幅方向Ｙを有し、使用時に臥床者の身体から相対的に近い位置に配される表面シート２と、使用時に前記身体から相対的に遠い位置に配される裏面シート３と、これら両シート２，３間に配置されている吸収体１５とを具備する吸収性本体１０を備えている。
また、吸収パッド１の長手方向Ｘは、吸収性本体１０の長手方向と一致し、吸収パッド１の幅方向Ｙは、吸収性本体１０の短手方向と一致している。吸収性本体１０の短手方向を幅方向ともいう。吸収性本体１０の幅方向は、使用時において臥床者の身長方向に対応し、吸収性本体１０の長手方向は、臥床者の左右方向に対応するように用いられることが好ましい。本実施形態において長手方向Ｘは、防漏カフ６，６の延在方向に沿う方向である。
【００１５】
図２は、展開状態における吸収パッド１の肌対向面側を示す図である。「展開状態」とは、吸収パッドの各部の弾性部材を伸張させて平面状に拡げた状態を意味する。
本実施形態において吸収性本体１０は、図２に示す如き平面視において一方向に長い矩形形状をなしている。また吸収体１５も、吸収性本体１０よりは面積が小さいものの、平面視において矩形形状をなし、吸収体１５の長手方向が吸収性本体１０の長手方向に一致している。吸収パッド１は肌対向面と非肌対向面を有している。本明細書において、「肌対向面」とは、吸収パッド１の使用時に臥床者の身体側、即ち肌側に配される面であり、「非肌対向面」とは、使用時に臥床者の肌側とは反対側に向けられる面である。表面シート２は、吸収性本体１０の上面即ち肌対向面を形成し、裏面シート３は、吸収性本体１０の下面即ち非肌対向面を形成する。
【００１６】
吸収体１５は、吸収性コア４０を含み、また、吸収性コア４０を被覆するコアラップシート５ａ，５ｂを含んで構成されてもよい。吸収性コア４０は、図３に示すように、コアラップシート５ａ，５ｂで被覆されているが、コアラップシート５で被覆されていなくてもよい。即ち、吸収体１５は、コアラップシート５を含んでいなくともよい。
また、本実施形態の吸収体１５は、図３に示すように、１枚のコアラップシート５ｂが、吸収性コア４０の裏面シート３側の全域を被覆している。吸収体１５は、さらにもう１枚のコアラップシート５ａが吸収性コア４０の表面シート側の全域を被覆すると共に、該吸収性コア４０の幅方向の両側縁から同方向Ｙの外方に延出し、その延出部分が、吸収性コア４０の裏面シート３側に巻き下げられて、他方のコアラップシート５ｂと重なっている。吸収体１５は、吸収性コア４０の裏面シート３側の全域を被覆するコアラップシート５ｂが、該吸収性コア４０の幅方向の両側縁から同方向Ｙの外方に延出し、その延出部分が、吸収性コア４０の表面シート２側に巻き上げられて、他方のコアラップシート５ａと重なっていてもよい。
なお、吸収性コア４０は、１枚のコアラップシートで被覆されていてもよい。
【００１７】
本実施形態の吸収性コア４０は、長手方向Ｘにおける吸収性コア４０の端部の位置と、同方向Ｘにおけるコアラップシートの端部の位置とが略一致しており、また、本実施形態の吸収性コア４０は、幅方向Ｙにおける吸収性コア４０の端部の位置と、同方向Ｙにおけるコアラップシートの端部の位置とが近接している。吸収性コア４０とコアラップシートとは、長手方向Ｘの端部どうし及び幅方向Ｙの端部どうしそれぞれの位置が、互いに一致していてもよく、していなくてもよい。
【００１８】
吸収パッド１は、吸収性コア４０の長手方向Ｘの端部より外方に延出した部分を有している。本実施形態において、表面シート２及び裏面シート３がそれぞれ、平面視において吸収体１５よりも面積が大きく、吸収性コア４０の長手方向Ｘの端部よりも長手方向Ｘの外方に延出している。これら延出した部分は、吸収体１５の周縁から外方にも延出している（図２参照）。また、防漏カフ形成用シート６５も吸収性コア４０の長手方向Ｘの端部より外方に延出している。以下、吸収パッド１において、吸収性コア４０の長手方向Ｘの端部より外方に延出した部分を延出部Ｆともいう。表面シート２は、吸収性コア４０の肌対向面の全域を被覆し、長手方向Ｘにおいて吸収体１５の縁部２Ｅから外方に延出している。裏面シート３は、吸収体１５の非肌対向面の全域を被覆し、吸収体１５の周縁４Ｅの全体から外方に延出している。これら両シート２，３は、延出部Ｆにおいて長手方向Ｘにおける吸収体１５の縁部２Ｅからの延出した部分どうしが、長手方向Ｘの両端部側において互いに接合されている。延出部Ｆは、長手方向Ｘにおける吸収体１５の両端部の外方側に形成されている。表面シート２及び裏面シート３それぞれと吸収体１５との間は接着剤によって接合されていてもよい。裏面シート３は、前述のように、延出部Ｆにおいて吸収体１５の周縁４Ｅの全体から外方に延出しているが、吸収体１５の幅方向Ｙの端部より外方に延出した部分には防漏カフ６が固定されている（図３参照）。
【００１９】
吸収パッド１は、図１〜図３に示すように、吸収性本体１０の長手方向の両側部に配されている一対の防漏カフ６，６を有している。防漏カフ６，６は長手方向Ｘに延びており、長手方向Ｘにおける該防漏カフ６，６の両端部が端部固定部６３において裏面シート３に固定されている（図２参照）。また、端部固定部６３を有する部位において、防漏カフ６，６と裏面シート３と表面シート２とは、それぞれ接合されている。端部固定部６３は、吸収性本体１０の長手方向（Ｘ方向）の端部領域Ｅ，Ｅに配されている。端部領域Ｅ，Ｅは、長手方向Ｘにおける吸収性本体の全長Ｌ１（図２参照）を４等分して４領域に区分したときの両端に位置する領域であることが好ましく、長手方向Ｘにおける吸収性本体１０の全長を５等分して５領域に区分したときの両端に位置する領域であることが更に好ましい。
【００２０】
防漏カフ６は、図３に示すように、幅方向Ｙにおける裏面シート３の吸収体１５から延出した部分に固定されている。防漏カフ６は、吸収パッド１の厚み方向Ｚにおいて、裏面シート３から近い順に、該裏面シート３に固定される固定部６ｃと、該固定部６ｃの肌対向面側に連接された基端部６ｂと、該基端部６ｂの肌対向面側に連接され、吸収パッド１の自然状態において、前記厚み方向Ｚの最も遠い位置に配される自由端６ａとを有している。また、防漏カフ６，６は、図２に示すように、長手方向Ｘにおける該防漏カフ６，６の両端部間、即ち端部固定部６３間に、長手方向Ｘに伸縮する伸縮部６１を有している。この伸縮部６１は、前記厚み方向Ｚにおいて、図３に示すように、基端部６ｂと自由端６ａとの間に配されている。斯かる構成の防漏カフ６は、吸収パッド１の自然状態において、図３に示すように、上方即ち臥床者の身体側（肌対向面側）に向かって起立する。
伸縮部６１は、展開状態の吸収パッド１において、一方向に延びており、その長手方向は吸収パッド１の長手方向Ｘと一致している（図２参照）。また、本実施形態の伸縮部６１は、展開状態の吸収パッド１において、その短手方向が吸収パッド１の幅方向Ｙと一致している（図２参照）。
【００２１】
本実施形態の防漏カフ６，６は、図３に示すように、防漏カフ形成用シート６５と、該シート６５に固定された弾性部材とを備えている。防漏カフ形成用シート６５は、排泄液等の滲み出し防止及び防漏カフ６の強度の観点から、不織布と液難透過性シートとが積層された複合シートであることが好ましい。また、防漏カフ形成用シート６５は、複数本の弾性部材６２が伸張状態で配されている。防漏カフ６，６は、その両端部や、該両端部間の固定部６ｃが接着剤や融着などの公知の接合手段によって、表面シート２又は裏面シート３に接合されている。また、防漏カフ６，６は、吸収パッド１の非肌対向面側を水平面上に載置し、外力を加えず自然に収縮させた自然状態（図３参照）において、自由端６ａが基端部６ｂより幅方向Ｙの外方に位置する状態に使用者の身体側に起立することが好ましい。
【００２２】
伸縮部６１には、弾性部材６２が長手方向Ｘに伸長状態で固定されており、これにより伸縮部６１の長手方向Ｘの両端部間が長手方向Ｘに伸縮性を有している。伸縮部６１に配される弾性部材６２の数は１本でもよいが、本実施形態のように、複数本、好ましくは３〜１０本、さらに好ましくは３〜８本が、展開状態（図２参照）における吸収パッド１の幅方向Ｙに間欠配置されていると、伸縮部６１が図３に示すように面状をなし、この面状部分が臥床者の肌に肌触り良く当接し得るため好ましい。
【００２３】
弾性部材が糸状である場合、その繊度は、６２０ｄｔｅｘ以上１２４０ｄｔｅｘ以下が好ましい。糸状の弾性部材６２の伸張倍率（自然長に対する伸張後の長さの比）は、弾性部材６２の繊度や本数にもよるが、好ましくは１．４倍以上３．０倍以下、より好ましくは１．５倍以上２．５倍以下である。斯かる構成は、臥床者の肌に肌触り良く当接し得るため好ましい。また、糸状の弾性部材６２に変えて、断面が扁平な平ゴムを使用することもできる。
【００２４】
各防漏カフ６においては、長手方向Ｘの両端部を除く部分、より具体的には吸収性本体１０の長手方向における吸収体１５（吸収性コア４０）が存する範囲においては、伸縮部６１が他の部材に接合されていないが、固定部６ｃが裏面シート３に接合されている（図３参照）。他方、吸収性本体１０の長手方向の端部領域Ｅ，Ｅにおいては、伸縮部６１を含む、防漏カフ形成用シート６５が端部固定部６３によって裏面シート３に固定されており、さらに該裏面シート３が接着剤を介して表面シート２に固定されている（不図示）。つまり、平面視矩形形状の吸収パッド１の四隅に端部固定部６３が形成されており、該端部固定部６３において、防漏カフ形成用シート６５と裏面シート３と表面シート２とが接合されている。このように、長手方向（長手方向Ｘ）に伸縮性を有する伸縮部６１の両端部が端部固定部６３によって他の部材（裏面シート３）に固定されていることにより、吸収パッド１の自然状態において、その両固定部６３，６３間で非固定の伸縮部６１が長手方向Ｘに収縮し、それによって防漏カフ６が上方に向かって起立する。
【００２５】
吸収性コア４０は、図２に示すように、その長手方向（Ｘ方向）の両端部から離間した位置に、該吸収性コア４０を幅方向Ｙに沿って延びる一対の折り誘導部４５を有している。本実施形態の折り誘導部４５は、吸収性コアを形成する形成材料の非存在部であり、図２に示すように、吸収性コア４０を厚み方向Ｚに貫通し且つ幅方向Ｙに延びるように形成されている。この折り誘導部４５は、図２に示すように、長手方向Ｘにおける吸収性コア４０の両端部から、同方向Ｘの内方側に離間して形成されている。また、折り誘導部４５は、幅方向Ｙにおける長さＬ６が、同方向Ｙにおける吸収性コア４０の長さＬ４に比して短い。
【００２６】
また、吸収性コア４０は、図２及び図４に示すように、長手方向Ｘにおいて折り誘導部４５よりも外方に位置する一対の端部吸収部４３と、該一対の端部吸収部４３間に位置する中央吸収部４１とを有している。
【００２７】
防漏カフ６，６の伸縮部６１は、図３に示すように、吸収パッド１の厚み方向Ｚにおいて吸収性コア４０より上方に位置する。「吸収性コア４０より上方に位置する」は、使用時においては、吸収性コア４０より臥床者の身体側に位置することを意味する。伸縮部６１は、図２に示すように、少なくとも前記一対の折り誘導部４５それぞれを跨いで存在している。即ち、伸縮部６１は、長手方向Ｘにおいて折り誘導部４５より内方に位置する内方部分と該折り誘導部４５より外方に位置する外方部分とを有し、弾性部材６２が前記内方部分から前記外方部分に亘って連続して配されている。折り誘導部４５は、展開状態の吸収パッド１における、該折り誘導部４５の長手方向に沿う両側縁部を有し、該両側縁部それぞれが吸収パッド１の幅方向Ｙに延びている。この折り誘導部４５の長手方向に沿う両側縁部は、吸収パッド１の長手方向Ｘにおける中央吸収部４１の一方の端部と、該一方の端部と対向配置される長手方向Ｘにおける端部吸収部４３の内方側の端部を形成している。本実施形態の伸縮部６１は、一対の折り誘導部４５間の全域に亘って連続している。伸縮部６１は、一対の折り誘導部４５間の全域に亘って連続していない場合、１本の折り誘導部４５を跨る伸縮部６１は、吸収パッド１の長手方向Ｘにおいて、折り誘導部４５の外方側の側縁部から、長手方向Ｘの内方側に２０ｍｍ以内の範囲及び外方側に１００ｍｍ以内の範囲にあることが好ましい。
【００２８】
前記一対の折り誘導部が形成された吸収性コア４０と、前記一対の折り誘導部４５の両側に亘って存在する伸縮部６１を有する防漏カフ６，６とを備える吸収パッド１は、伸縮部６１の収縮により、吸収性コア４０の一部が折り誘導部４５を起点に身体側に折れ曲がる。これにより、折れ曲がった吸収性コア４０の一部が身体側に持ち上がる。具体的には、吸収性コア４０は、端部吸収部４３が身体側に持ち上がる。これにより吸収パッド１は、折り誘導部４５を起点にその一部が折れ曲がる。このように折れ曲がった吸収パッド１は、端部吸収部４３が障壁となって、長手方向Ｘの外方への排液の漏れや飛散を効果的に抑制することができる（図４参照）。また、吸収性コア４０の端部吸収部４３は、折り誘導部４５及び伸縮部６１により、持ち上がった状態が安定して維持されるため、長手方向Ｘに排液が拡散しにくくなる。前述のように端部吸収部４３の持ち上がった状態が維持されると、防漏カフ６，６の倒伏が抑制され、洗浄時の作業性向上と漏れ防止効果とに寄与する。さらに、吸収性コア４０の一部が折り誘導部４５を起点として折れ曲がるため、伸縮部６１の収縮力が中央吸収部４１に作用しにくくなる。その結果、中央吸収部４１と重なる部分の肌対向面において襞の発生が抑制される。そのため、臥床者の身体に吸収パッド１の肌対向面が当接しても、不快感や床ずれが生じ難く、また、中央吸収部４１の変形も抑制されるため、吸収パッド１を安定して載置することができる。
【００２９】
本実施形態の吸収性コア４０は、前述のように吸収性コア４０の端部吸収部４３を持ち上げる起点となる、一対の折り誘導部４５を有している。折り誘導部４５は、端部吸収部４３を持ち上げる起点となれば、その形態は特に制限されないが、持ち上げを容易に行う観点から、吸収性コアの形成材料の非存在部又は低坪量部であることが好ましい。また、同様の観点から、折り誘導部４５が、エンボス加工により形成された圧搾部（エンボス圧搾部）であることが好ましい。この圧搾部は、他の部分より厚みが薄く、且つ吸収性コアの形成材料の密度が高い部分である。
吸収性コアの形成材料の非存在部は、吸収性コア４０の形成材料が存在しない部分、即ち該形成材料の坪量が０ｇ／ｍ２である部分であり、例えば、吸収性コア４０を厚み方向に貫通した貫通溝が挙げられる。
吸収性コアの形成材料の低坪量部は、その坪量が中央吸収部４１及び端部吸収部４３の坪量に比して低い部分である。
【００３０】
本実施形態の折り誘導部４５は、図１に示すように、幅方向Ｙに連続して延びている。折り誘導部４５は、複数の小折り誘導部が幅方向Ｙに沿って間欠的に並んだものであってもよい。端部吸収部４３を幅方向Ｙに沿って容易に持ち上げる観点から、折り誘導部４５は、幅方向Ｙに沿って形成されていることが好ましい。
上記と同様の観点から、幅方向Ｙにおける折り誘導部４５の長さＬ６（図２参照）は、幅方向Ｙにおける吸収性コア４０の長さＬ４（図２参照）に対して、好ましくは６０％以上、より好ましくは７０％以上であり、また好ましくは１００％以下であり、また好ましくは６０％以上１００％以下、より好ましくは７０％以上１００％以下である。なお、折り誘導部４５が、幅方向Ｙに沿って間欠的に並んだ複数の小折り誘導部からなる場合、幅方向Ｙにおける折り誘導部４５の長さＬ６は、幅方向Ｙにおける小折り誘導部間の長さを含んだ長さとする。
【００３１】
端部吸収部４３の一部が折り曲げられた状態をより安定して維持する観点から、端部吸収部４３は、中央吸収部４１に比して剛性が高いことが好ましい。ここで言う剛性とは、吸収性コア４０の屈曲のしづらさの程度のことであり、剛性が高いとは吸収性コア４０が屈曲しづらいことを言う。剛性の測定にはハンドロメーター（Ｆ３６０Ａ：（株）大栄科学精器製作所）を使用し、吸収性コアの中央吸収部又は端部吸収部から２００ｍｍ×２００ｍｍの大きさで切り出したサンプルを測定する。サンプルは、中央吸収部又は端部吸収部の幅方向Ｙの長さを二等分する中央線が、サンプルの幅方向Ｙの長さを二等分するサンプル中央線と重なるように切り出す。スロット幅は３０ｍｍとして測定する。この測定値が大きい場合には、剛性が高いと言える。また、サンプルの大きさが上述の大きさよりも小さい場合には、大きさを適宜変更して測定し、該測定値を上述の大きさに換算してもよい。
【００３２】
端部吸収部４３の剛性値（ｃＮ）は、中央吸収部４１の剛性値（ｃＮ）に対して、好ましくは１．３倍以上、より好ましくは１．５倍以上、また好ましくは４倍以下、より好ましくは３．５倍以下、また好ましくは１．３倍以上４倍以下、より好ましくは１．５倍以上３．５倍以下である。
端部吸収部４３の剛性値（ｃＮ）は、８０ｃＮ以上、好ましくは１００ｃＮ以上であり、２００ｃＮ以下である。
【００３３】
端部吸収部４３の持ち上げを容易に行う観点から、端部吸収部４３は、その密度が、中央吸収部４１よりも高いことが好ましい。端部吸収部４３の密度は、中央吸収部４１の密度に対して、好ましくは１．４倍以上、より好ましくは１．５倍以上、また好ましくは２.５倍以下、より好ましくは２．２倍以下、また好ましくは１．４倍以上２．５倍以下、より好ましくは１．５倍以上２．２倍以下である。中央吸収部４１の密度（ｇ／ｃｍ３）は、好ましくは０．０７〜０．２０ｇ／ｃｍ３、より好ましくは０．０８〜０．２０ｇ／ｃｍ３である。
密度は、以下の方法により測定される。中央吸収部４１及び端部吸収部４３それぞれから７ｃｍ×７ｃｍの大きさに切り出した測定片に、３．６ｃｍ×３．６ｃｍのアクリル板（重さ５ｇ）を乗せ、ピーコック厚み計を用いて厚さを測定する。測定片の質量、面積及び厚さの測定値から、密度を計算する。
端部吸収部の密度は、例えばエンボス加工等の圧搾によって、中央吸収部より高くすることができる。
【００３４】
防漏カフ６，６を始めとする各部材を接合するために用いられる接着剤として、ホットメルト接着剤が挙げられる。接着強度の観点から、特に好ましいホットメルト接着剤としては、スチレン−ブタジエン−スチレン系（ＳＢＳ系）、スチレン−イソブチレン−スチレン系（ＳＩＳ系）、スチレン−エチレン−ブチレン−スチレン系（ＳＥＢＳ系）等のスチレン・エラストマー系ホットメルト接着剤；ポリオレフィン系ホットメルトが挙げられ、これらの１種を単独で又は２種以上を組み合わせて用いることができる。
また、接着剤の配置パターンは、特に制限されないが例えば、スパイラルスプレー、スロットスプレー、スロットコーター、ビード等の塗布パターン及び、それらを組み合わせた塗布パターンを用いることができる。
【００３５】
接合手段は特に制限されず、ホットメルト接着剤等の各種接着剤、ヒートシール、超音波シール等の公知の接合手段やこれらの組み合わせを用いることができる。なお、本実施形態における各接合部７の接合手段はホットメルト接着剤である。
【００３６】
吸収パッド１の自然状態での大きさや各部材の寸法は特に制限されないが、臥床者の身体の洗浄を容易に行う観点から以下の範囲であることが好ましい。なお、特に言及しない限り、本明細書に記載の距離や寸法は、吸収パッドを展開状態にして測定する。
長手方向Ｘにおける吸収性本体１０の長さＬ１（図２参照）は、幅方向Ｙにおける吸収性本体１０の長さＬ２（図２参照）に対して好ましくは１４０％以上、より好ましくは１６０％以上、また好ましくは３００％以下、より好ましくは２７０％以下、また好ましくは１４０％以上３００％以下、より好ましくは１６０％以上２７０％以下である。
長手方向Ｘにおける吸収性本体１０の長さＬ１（図２参照）は、好ましくは７００ｍｍ以上、より好ましくは７５０ｍｍ以上、さらに好ましくは８００ｍｍ以上であり、また好ましくは１５００ｍｍ以下、より好ましくは１３００ｍｍ以下であり、また好ましくは７００ｍｍ以上１５００ｍｍ以下、より好ましくは７５０ｍｍ以上１３００ｍｍ以下、さらに好ましくは８００ｍｍ以上１３００ｍｍ以下である。
【００３７】
長手方向Ｘにおける吸収性コア４０の長さＬ３（図２参照）は、同方向Ｘにおける吸収性本体１０の長さＬ１（図２参照）に対して、好ましくは７０％以上、より好ましくは７５％以上、また好ましくは９４％以下、より好ましくは９０％以下、また好ましくは７０％以上９４％以下、より好ましくは７５％以上９０％以下である。
長手方向Ｘにおける吸収性コア４０の長さＬ３（図２参照）は、幅方向Ｙにおける吸収性コア４０の長さＬ４（図２参照）に対して、好ましくは１３０％以上、より好ましくは１５０％以上、また好ましくは３００％以下、より好ましくは２７０％以下、また好ましくは１３０％以上３００％以下、より好ましくは１５０％以上２７０％以下である。
【００３８】
端部吸収部４３を排液の漏れを防ぐ障壁として効果的に機能させる観点から、長手方向Ｘにおける端部吸収部４３の長さＬ７（図２参照）は、同方向Ｘにおける吸収性コア４０の長さＬ３（図２参照）に対して、好ましくは４％以上、より好ましくは６％以上、また好ましくは１５％以下、より好ましくは１３％以下、また好ましくは４％以上１５％以下、より好ましくは６％以上１３％以下である。
【００３９】
長手方向Ｘにおける中央吸収部４１の長さＬ５（図２参照）は、同方向Ｘにおける吸収性コア４０の長さＬ３（図２参照）に対して、好ましくは７０％以上、より好ましくは７４％以上、また好ましくは９２％以下、より好ましくは８８％以下、また好ましくは７０％以上９２％以下、より好ましくは７４％以上８８％以下である。
【００４０】
本実施形態における防漏カフ６，６は、図３に示すように、くの字状に屈曲している。このような屈曲の他に、防漏カフ６，６は、図６（ａ）に示すように、自由端６ａが幅方向Ｙにおいて最も内方に位置するように屈曲してもよく、図６（ｂ）に示すように、自由端６ａが幅方向Ｙにおいて最も外方に位置するように屈曲してもよい。
排液と表面シートの接触面積を広げて吸収効率を高める観点から、防漏カフ６，６は、図３に示すように、基端部６ｂと固定部６ｃとの連結部６ｄが幅方向Ｙの最も内方に位置するよう、屈曲していることが好ましい。
【００４１】
吸収パッド１の各部材については、基本的に使い捨ておむつなどの排泄物吸収用物品において従来用いられているものを特に制限なく用いることができる。表面シート２としては、液透過性のシートを用いることができ、例えば、合成繊維又は天然繊維からなる親水性の織布や不織布、多孔性シート、メッシュシート等が挙げられる。裏面シート３としては、液難透過性のシートを用いることができ、例えば、ポリエチレンフィルムやポリプロピレンフィルム等の樹脂製フィルム、撥水不織布等の不織布、不織布と樹脂製フィルムとを熱又は接着剤によってラミネートした複合シート等が挙げられる。「液難透過性」には、液の透過を完全に遮断し得る液不透過性と、若干量の液は透過し得る性質とが含まれる。裏面シート３の好ましい一例として、使用時に肌対向面から近い順に、樹脂製フィルムと不織布とが順次積層された複合シートが挙げられる。斯かる複合シートは風合いと強度に優れるという特長を有する。
【００４２】
一般に、不織布は繊維が配向する繊維配向方向とそれに直交する直交方向を有しているが、繊維配向方向の方が直交方向よりも引張強度が強い。そのため、吸収パッド１の形成材料（例えば表面シート２、裏面シート３）として不織布を用いる場合には、不織布の繊維配向方向を、吸収パッド１の長手方向Ｘに一致させることで、材料強度が高くなり、材料破壊を抑えることができる。そのため延出部Ｆの長手方向の強度をさらに高めることができる。
【００４３】
中央吸収部４１及び端部吸収部４３を含む吸収性コア４０は、繊維材料と吸水性ポリマーを含むことが好ましい。この吸収性コア４０には親水性繊維を含めることができ、該親水性繊維としては、木材パルプの如き本来的に親水性の繊維の他、本来的に疎水性の繊維に親水化処理を施した繊維を用いることもできる。吸収性コア４０の典型的なものは、繊維材料の集合体で吸水性ポリマーの小片を含有するものが挙げられる。
【００４４】
中央吸収部４１の坪量は、吸収容量を確保する観点から、好ましくは１００ｇ／ｍ２以上、さらに好ましくは１５０ｇ／ｍ２以上、そして、好ましくは９００ｇ／ｍ２以下、さらに好ましくは８００ｇ／ｍ２以下である。また、端部吸収部４３の坪量は、剛性を確保する観点から、好ましくは２００ｇ／ｍ２以上、より好ましくは３００ｇ／ｍ２以上、また好ましくは９００ｇ／ｍ２以下、より好ましくは８００ｇ／ｍ２以下である。
【００４５】
吸収体１５（吸収性コア）に含まれる吸水性ポリマーとしては、一般に粒子状のものが用いられるが、繊維状のものでもよい。粒子状の吸水性ポリマーを用いる場合、その形状は球状、塊状、俵状又は不定形のいずれでもよい。吸水性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００４６】
排液を吸収した後でも端部吸収部からの漏れを防止する観点から、中央吸収部４１は、端部吸収部４３に比して、吸水性ポリマーの坪量が高いことが好ましい。中央吸収部４１と端部吸収部４３との吸水性ポリマーの坪量の差は、好ましくは４０ｇ／ｍ２以上、より好ましくは６０ｇ／ｍ２以上、また好ましくは２００ｇ／ｍ２以下である。
【００４７】
コアラップシートとしては、従来の使い捨ておむつなどの吸収性物品において使用されているものを適宜用いることができる。例えば、液透過性シートを用いることができ、典型的には親水性不織布やティッシュペーパーが挙げられる。親水性不織布としては、親水性の繊維を構成繊維として含むもの、合成繊維に親水性を付与した繊維を構成繊維として含むものが挙げられる。特に親水性不織布、例えば親水性エアスルー不織布、親水性スパンボンド不織布、スパンボンド・メルトブローン・スパンボンド（ＳＭＳ）の構成からなる親水性ＳＭＳ不織布は、ティシュペーパーに比べて湿潤時の引張強度が強く、ヒートシールや接着剤による接着強度も高くすることができる点から好ましい。
コアラップシートの坪量は、好ましくは１０ｇ／ｍ２以上、より好ましくは１３ｇ／ｍ２以上、また好ましくは６０ｇ／ｍ２以下、より好ましくは５０ｇ／ｍ２以下である。
【００４８】
身体の洗浄時に排液される多量の湯水等を吸収させる観点から、吸収パッド１の脱イオン水に対する遠心保持量は、好ましくは１５００ｇ以上、さらに好ましくは１７５０ｇ以上、特に好ましくは２０００ｇ以上である。吸収体１５（吸収性コア）に用いる吸水性ポリマーの脱イオン水に対する遠心保持量は、２００ｇ／ｇ以上、好ましくは２５０ｇ／ｇ以上である。また、吸収体１５（吸収性コア）に用いる吸水性ポリマーの生理食塩水に対する遠心保持量は、２５ｇ／ｇ以上、好ましくは３０ｇ／ｇ以上である。
【００４９】
吸水性ポリマーの遠心保持量は、吸水性ポリマーの吸水量（吸水倍率）に関連する特性であり、遠心保持量の値が大きいほど、吸水性ポリマーの吸水量（吸水倍率）が大きい。脱イオン水に対する遠心保持量が前記範囲にある吸水性ポリマーを使用することで、吸水性ポリマーの使用量を抑えながら数リットルもの比較的大量の湯水の吸収が要求される身体の洗浄用途に好適な吸収パッド、即ち脱イオン水に対する遠心保持量が１５００ｇ以上の吸収パッドが得られる。吸収パッド及び吸水性ポリマーそれぞれの遠心保持量は下記方法により測定される。
【００５０】
＜吸収パッドの遠心保持量の測定方法＞
ナイロン製の織布（メッシュ開き２５５、三力製作所販売、品名：ナイロン網、規格：２５０×メッシュ巾１１５０ｍｍ×３０ｍ）を幅５０ｃｍ、長さ１００ｃｍの長方形に切断して長手方向中央で二つ折りにし、その二つ折りした織布の周縁の一部をヒートシールして幅５０ｃｍ（内寸４５ｃｍ）、長さ５０ｃｍのナイロン袋を作製する。このナイロン袋の周縁における未ヒートシール部分は、ナイロン袋内に測定試料（吸収パッド）を入れる際に利用される開き部となる。このナイロン袋に測定試料を封入して遠心保持量の測定を行うが、測定試料のサイズがナイロン袋よりも大きく、測定試料を折り曲げたりせずに自然状態のままでその全体をナイロン袋に収容できない場合は、測定試料を複数に分割（例えば、測定試料である吸収パッドを２〜６等分の大きさに分割）し、その複数の分割測定試料それぞれについて遠心保持量の測定を行う。
より具体的には例えば、ナイロン袋よりもサイズの大きい測定試料である吸収パッドを、幅４０ｃｍ以下長さ４０ｃｍ以下の大きさに分割して切り出し、その複数の分割測定試料をそれぞれ、該分割測定試料における一部と他の一部とが重ならないようにナイロン袋に入れた後、ナイロン袋の開き部をヒートシールする。こうして測定試料（分割測定試料）が封入されたナイロン袋を、２５℃に調温した脱イオン水に浸漬させる。浸漬開始から３０分後にナイロン袋を脱イオン水から取り出し、１時間垂直状態に吊るして水切りした後、遠心脱水器（株式会社コクサン製、型式Ｈ−１３０Ｃ特型）を用いて脱水する。脱水条件は、１４３Ｇで１０分間とする。脱水後、試料の重量を測定し、次式に従って目的とする遠心保持量を算出する。
遠心保持量（ｇ）＝ａ’−ｂ−ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。測定は３回行い（ｎ＝３）、平均値を測定値とする。また、測定は２３±２℃、湿度５０±５％で行い、測定の前に測定試料を同環境で２４時間以上保存した上で測定する。
尚、前記したように、測定試料である吸収パッドを分割した場合は、その複数の分割測定試料それぞれについて前記手順により遠心保持量を測定し、それら複数の遠心保持量の合計値を、当該測定試料である吸収パッドの遠心保持量とする。
【００５１】
＜吸水性ポリマーの遠心保持量の測定方法＞
ナイロン製の織布を幅２０ｃｍ、長さ６０ｃｍの長方形に切断して幅方向中央及び長手方向中央でそれぞれ二つ折りにし、その二つ折りした織布の周縁の一部をヒートシールして幅１０ｃｍ（内寸１６ｃｍ）、長さ３０ｃｍのナイロン袋を作製する。測定試料である吸水性ポリマー１．００ｇを精秤し、作製したナイロン袋の開き部から該袋内に入れた後、該開き部をヒートシールして、吸水性ポリマーを該袋内に封入する。その際、ナイロン袋の平面視において吸水性ポリマーがナイロン袋の内部に均一に分布するように、ナイロン袋に吸水性ポリマーを入れる。以上の点以外は前記＜吸収パッドの遠心保持量の測定方法＞と同様であるが、吸水ポリマーの遠心保持量は、次式に従って算出する。
遠心保持量（ｇ／ｇ）＝（ａ’−ｂ−ｃ）／ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。
【００５２】
吸水性ポリマーの遠心保持量の調整は、例えば、吸水性ポリマーの表面架橋度を調整することによって行うことができる。一般に、吸水性ポリマーの表面架橋度が高くなる（表面架橋処理が進む）と、遠心保持量（吸水倍率）は低くなる傾向がある。具体的には例えば、従来の方法によって製造された表面架橋処理済みの吸水性ポリマーに対して、再度表面架橋処理（後架橋処理）を施すことにより、遠心保持量を前記範囲に調整することが可能である。また、表面架橋を行う、行わないに関わらず、吸水性ポリマー全体の架橋度をコントロールすることでも遠心保持量は調整可能である。
【００５３】
また、吸水性ポリマーは、ＪＩＳ  Ｋ７２２４に規定されるボルテックス法に従い測定された、生理食塩水の吸収速度（以下「ボルテックス吸収速度」とも言う。）が、好ましくは９０秒以下、より好ましくは８０秒以下である。ボルテックス吸収速度は、吸水性ポリマーの吸液速度の尺度となるものであり、この値が大きいほど吸液速度が遅いことを意味する。身体洗浄には水道水が使用される観点から、吸水性ポリマーは、脱イオン水のボルテックス吸収速度が、好ましくは４５秒以下、より好ましくは４０秒以下である。
【００５４】
次に、本発明の第２実施形態に係る吸収パッド１ａを図７及び図８に示す。第２実施形態の吸収パッド１ａについては、矛盾しない限り、上述した第１実施形態の吸収パッド１の説明が適宜適用される。図７及び図８中には、第１実施形態の吸収パッド１と同様の構成について、第１実施形態の吸収パッド１に付した符号と同一の符号を付してある。
【００５５】
図７は、本発明の第２実施形態に係る吸収パッド１ａを模式的に示す斜視図である。また、本実施形態において、吸収パッド１ａは、長手方向Ｘの両端に、吸収性コア４０（吸収体１５）の長手方向Ｘの端部より外方に延出した延出部Ｆを有している〔図７（ａ）参照〕。また、延出部Ｆは、互いに接合された表面シート２及び裏面シート３を含んでいる。本実施形態の延出部Ｆは、表面シート２及び裏面シート３の他に、吸収性コア４０の長手方向Ｘの端部より外方に延出した防漏カフ形成用シート６５も含んでおり、該延出部Ｆに表面シート２、裏面シート３及び防漏カフ形成用シート６５の積層部分を有している。より具体的には、当該積層部分は、延出部Ｆにおける防漏カフの延長線上に存在し、また延出部Ｆにおける前記長手方向Ｘに沿う両側部に形成されている。
延出部Ｆは、該延出部Ｆを折り返して防漏カフ６の一部に固定可能な固定手段６８を備えている。延出部Ｆは、図７（ｂ）に示すように、使用時に、臥床者の身体側に折り返され、折り返された部分と防漏カフ６の一部とが前記固定手段６８を介して固定される。本実施形態において、固定手段６８は、延出部Ｆの前記積層部分における防漏カフ形成用シート６５側に設けられている。
【００５６】
図８（ａ）は、展開状態の吸収パッド１ａにおいて、その延出部を折り返す前の該延出部周辺を模式的に示す平面図であり、図８（ｂ）は、折り返した後の前記延出部周辺を模式的に示す平面図である。本実施形態における吸収性コア４０は、上述の実施形態と同様に、端部吸収部４３が伸縮部６１の収縮により身体側に持ち上がる。また、本実施形態において防漏カフ６，６は、図８（ａ）に示すように、端部固定部６３が吸収性コア４０の長手方向Ｘの端部７Ｅよりも同方向Ｘの外方に配されており、防漏カフ形成用シート６５が、端部固定部６３より長手方向Ｘ外方に延出している。延出部Ｆは、図８（ｂ）に示すように、身体側に折り返されると、防漏カフ６，６の一部と対向した状態で、固定手段６８によって、該防漏カフ６，６の一部に固定される。これにより、端部吸収部４３の持ち上がりと折り返された延出部Ｆとによってポケット構造Ｐが形成される（図９参照）。ポケット構造Ｐは、排液等の障壁となって、長手方向Ｘの外方への排液の漏れや飛散を効果的に抑制する。また、固定手段６８によって、延出部Ｆの折り返し状態が安定して維持される共に、防漏カフ６，６の倒伏が抑制されるため、吸収パッド１ａは洗浄時の作業性と漏れ防止効果とに優れる。
【００５７】
上記の効果をより確実に奏させる観点から、長手方向Ｘにおける延出部Ｆの長さＬ１３〔図８（ａ）参照〕は、長手方向Ｘにおける吸収性本体１０の長さＬ１（図２参照）に対して、好ましくは３％以上、より好ましくは５％以上、また好ましくは１５％以下、より好ましくは１３％以下、また好ましくは３％以上１５％以下、より好ましくは５％以上１３％以下である。
【００５８】
固定手段６８としては、折り返された延出部Ｆを防漏カフ６に固定し得るものを制限無く用いることができ、特に防漏カフ６に脱着自在に固定し得るものを好ましく用いることができる。脱着自在に固定し得る固定手段６８として、例えば接着剤、粘着剤、結合材、フック材等が挙げられる。
固定手段６８は、延出部Ｆに設けられるが、延出部Ｆの長手方向Ｘの内方側の端部から、該延出部Ｆの全長Ｌ１３の好ましくは７０％以上離間した位置、より好ましくは９０％以上離間した位置より長手方向Ｘの外方側に配される。
【００５９】
延出部Ｆを折り返す位置は特に制限されず、吸収性コア４０の長手方向Ｘの端部７Ｅの位置であってもよく、該端部７Ｅより長手方向Ｘの内方の位置であってもよく、該端部７Ｅより長手方向Ｘの外方の位置であってもよい。また、延出部Ｆを折り返す位置を適宜変えて、延出部Ｆを防漏カフ６に固定してもよい。延出部Ｆは、長手方向Ｘにおいて端部吸収部４３が持ち上がるように臥床者の身体側に折り返されることが好ましい。
端部吸収部４３をより高く持ち上げる観点から、吸収性コア４０の長手方向Ｘの端部７Ｅより長手方向Ｘの内方の位置で延出部Ｆを折り返すと共に、吸収性パッドの一部が、長手方向Ｘにおける折り誘導部４５と延出部Ｆとの間で身体側に折れ曲がることが好ましい。換言すれば、長手方向Ｘにおいて、延出部Ｆと共に折り返される吸収パッド１ａの折り返し部分の長さＬ１５は、延出部Ｆの長手方向Ｘの長さＬ１３に比して長いことが好ましい。吸収パッド１ａの折り返し部分の長さＬ１５は、長手方向Ｘにおける、折り返された延出部Ｆの端部Ｆ１と、延出部Ｆと共に折り返される吸収パッド１ａの折り返し起点Ｑとの間の長さである〔図８（ａ）参照〕。折り返し起点Ｑは、長手方向Ｘにおける折り誘導部４５と延出部Ｆとの間にあることが好ましい。斯かる構成によりポケット構造Ｐを容易に形成することができる。
折り返された延出部Ｆの端部Ｆ１〔図８（ｂ）参照〕は、長手方向Ｘにおける折り誘導部４５の内方側の側縁部４５ｂより、同方向Ｘの内方に位置することが好ましい。ここで、折り返された延出部Ｆの端部Ｆ１は、折り返す前の延出部Ｆの長手方向Ｘの外方端部Ｆ１〔図８（ａ）参照〕である。
【００６０】
上記の効果をより確実に奏させる観点から、吸収パッド１ａの折り返し部分の長さＬ１５〔図８（ａ）参照〕は、延出部Ｆの長手方向Ｘの長さＬ１３〔図８（ａ）参照〕に対して、好ましくは１００％以上、より好ましくは１１０％以上であり、また好ましくは１６０％以下、より好ましくは１５０％以下であり、また好ましくは１００％以上１６０％以下、より好ましくは１１０％以上１５０％以下である。
【００６１】
以上、本発明について説明したが、本発明は前述した実施形態に制限されず、本発明の趣旨を逸脱しない範囲で適宜変更可能である。
【００６２】
また、平面視形状は、前記実施形態の吸収パッド１の如き矩形形状に制限されず、楕円形状などの異方性形状の他、正方形形状、円形状などの等方性形状でもよい。また、吸収体１５に一旦吸収された液が表面シート２側へ逆流する不都合を防止する観点から、表面シート２と吸収体１５との間に、親水性不織布などからなる液透過性の液逆流防止層を介在配置してもよい。
本発明の吸収パッドは、図２に示す吸収パッドのように、前記展開状態における平面視において、伸縮部６１の一部が折り誘導部４５と重なっていること、特に伸縮部６１に配された単数又は複数の弾性部材６２が折り誘導部４５と交差していることが好ましいが、幅方向Ｙにおける折り誘導部４５の両端それぞれより外方に伸縮部６１又は該伸縮部６１の弾性部材６２が配されていてもよい。
本発明の吸収パッドは、長手方向Ｘの両端に延出部Ｆを有していることが好ましいが、長手方向Ｘの何れか一端のみに延出部Ｆを有していてもよい。
延出部Ｆにおいては、図８（ａ）及び（ｂ）に示すように、表面シート２、裏面シート３及び防漏カフ形成用シート６５が延出していることが好ましいが、防漏カフ形成用シート６５が延出していなくともよい。その場合、表面シート２側に固定手段６８を備えていることが好ましい。
また、延出部Ｆに防漏カフ６の端部固定部６３が配されていてもよく、吸収性コア４０の長手方向Ｘの端部より内方に端部固定部６３が配されていてもよい。
延出部Ｆは、使用時に使用者によって折り返されて防漏カフ６の一部に固定手段６８を介して固定されてもよいが、使用前において折り返され且つ防漏カフ６の一部に固定されている状態であってもよい。その場合、固定手段としては該延出部Ｆと防漏カフ６とを脱着不可能に固定し得るものを用いてもよい。脱着不可能に固定し得る固定手段６８として、例えば接着剤による接着、フック材による係合などが挙げられる。
【符号の説明】
【００６３】
１  吸収パッド
１０  吸収性本体
１５  吸収体
２  表面シート
３  裏面シート
４０  吸収性コア
４１  中央吸収部
４３  端部吸収部
４５  折り誘導部
５  コアラップシート
６  防漏カフ
６ａ  自由端
６ｂ  基端部
６ｃ  固定部
６１  伸縮部
６２  弾性部材
Ｘ  長手方向
Ｙ  幅方向
【図１】
2019187740.tif 000003
【図２】
2019187740.tif 000004
【図３】
2019187740.tif 000005
【図４】
2019187740.tif 000006
【図５】
2019187740.tif 000007
【図６】
2019187740.tif 000008
【図７】
2019187740.tif 000009
【図８】
2019187740.tif 000010
【図９】
2019187740.tif 000011